(57)【要約】【課題】高線量の放射性樹脂系廃棄物の量をさらに低減できる放射性樹脂系廃棄物の処理方法を提供する。【解決手段】高線量貯蔵タンク２内の放射性樹脂系廃棄物（使用済イオン交換樹脂等）３をホース１８からの移送水によりスラリー化する。この放射性樹脂系廃棄物スラリーが移送ホース５に吸引される。移送ホース５内を流れるスラリーの放射線を放射線検出器１３により検出し、スラリーに含まれる放射性樹脂系廃棄物３の割合を樹脂系廃棄物含有率測定装置１４で測定する。廃棄物放射能計算装置１２は、スラリーの放射線量及び放射性樹脂系廃棄物３の割合に基づいて、移送ホース５内を流れるスラリーに含まれる放射性樹脂系廃棄物３の放射線量を求める。制御装置１７は放射性樹脂系廃棄物３の放射線量に応じて切換弁１１を切換え、そのスラリーを高線量廃棄物受槽７または低線量廃棄物受槽８に移送する。【選択図】図１
2014174129.tif 000002
【特許請求の範囲】
【請求項１】
貯蔵タンク内に貯蔵されている放射性樹脂系廃棄物のスラリーを第１管路により取り出し、前記第１管路内を流れる前記放射性樹脂系廃棄物スラリーの第１放射線量、及び前記放射性樹脂系廃棄物スラリーに含まれる前記放射性樹脂系廃棄物の割合を測定し、前記第１放射線量及び前記放射性樹脂系廃棄物の割合に基づいて前記放射性樹脂系廃棄物スラリーに含まれる前記放射性樹脂系廃棄物の第２放射線量を求め、前記第２放射線量に基づいて前記第１管路に設けられた切換弁を制御して、前記第１管路内を流れる前記放射性樹脂系廃棄物スラリーを、設定放射線量よりも高い前記第２放射線量の前記放射性樹脂系廃棄物を受け入れる第１受槽及び前記設定放射線量以下の前記第２放射線量の前記放射性樹脂系廃棄物を受け入れる第２受槽のいずれかに供給することを特徴とした放射性樹脂系廃棄物の処理方法。
【請求項２】
前記放射性樹脂系廃棄物スラリーは、第２管路により移送水を前記貯蔵タンク内に供給することにより前記貯蔵タンク内で生成される請求項１に記載の放射性樹脂系廃棄物の処理方法。
【請求項３】
前記第２管路の水放出口が、前記貯蔵タンク内において堆積された前記放射性樹脂系廃棄物の堆積層の上端部から前記貯蔵タンクの底部に向かって下降され、前記第１管路の吸引口も前記貯蔵タンク内において前記放射性樹脂系廃棄物の堆積層の上端部から前記貯蔵タンクの底部に向かって下降される請求項１または２に記載の放射性樹脂系廃棄物の処理方法。
【請求項４】
放射性樹脂系廃棄物スラリーを移送する管路と、前記管路内の前記放射性樹脂系廃棄物スラリーから放出される放射線を検出する放射線検出器と、前記管路内の前記放射性樹脂系廃棄物スラリーに含まれる放射性樹脂系廃棄物の割合を測定する樹脂系廃棄物含有率測定装置と、前記放射線検出器から出力される放射線検出信号に基づいて前記放射性樹脂系廃棄物スラリーの第１放射線量を求め、前記第１放射線量及び前記放射性樹脂系廃棄物の割合に基づいて前記放射性樹脂系廃棄物スラリーに含まれる放射性樹脂系廃棄物の第２放射線量を求める廃棄物放射能計算装置と、第１受槽と、第２受槽と、前記第２放射線量が設定放射線量よりも高いときには、前記設定放射線量よりも高い前記第２放射線量の前記放射性樹脂系廃棄物を含む前記放射性樹脂系廃棄物スラリーを前記第１受槽に供給するように、前記管路に設けられた切換弁を制御し、且つ前記第２放射線量が設定放射線量以下であるときには、前記設定放射線量以下の前記第２放射線量の前記放射性樹脂系廃棄物を含む前記放射性樹脂系廃棄物スラリーを前記第２受槽に供給するように、前記切換弁を制御する制御装置とを備えたことを特徴とする放射性樹脂系廃棄物処理装置。
【発明の詳細な説明】
【技術分野】
【０００１】
本発明は、放射性樹脂系廃棄物の処理方法及びその処理装置に係り、特に、原子力プラントで発生する放射性使用済みイオン交換樹脂及び放射性フィルタスラッジ等の放射性樹脂系廃棄物を処理するのに好適な放射性樹脂系廃棄物の処理方法及びその処理装置に関する。
【背景技術】
【０００２】
原子力プラントの冷却水浄化系及び燃料プール冷却浄化系に用いられているイオン交換樹脂及びフィルタスラッジ（粉末イオン交換樹脂、セルロース系ろ過助剤等）は、使用済み後に放射性廃棄物として貯蔵タンクに長期間保管されている。これらの使用済の樹脂系の放射性廃棄物は放射能レベルが高い。このような高線量の樹脂系の放射性廃棄物は、地中埋設処分されるが、限られた処分場容積に効果的に埋設するためには、最終処分する前にそれを減容することが重要となる。
【０００３】
イオン交換樹脂は、スチレン-ジビニルベンゼンを基材としており、化学的に安定である。また、セルロース系フィルタスラッジも同様に安定である。使用済イオン交換樹脂（廃樹脂）及び使用済のフィルタスラッジ（廃スラッジ）を減容するためには、通常、高温での熱分解処理が必要になる。
【０００４】
廃樹脂の減容処理技術の一例が、特開昭５９−４４６９９号公報及び特開昭５９−４４６９８号公報に記載されている。これらに記載された廃樹脂の減容処理技術では、酸化触媒を添加した廃イオン交換樹脂にマイクロ波を照射し、廃樹脂に含まれた水分を蒸発除去し、廃樹脂を、加熱溶融、燃焼または熱分解により減容することが記載されている。
【０００５】
特開平６−２３０１８６公報に記載された放射性廃棄物の処理方法では、原子力プラントから発生して貯蔵タンクに貯蔵されている廃樹脂及び廃スラッジが混合された樹脂系の放射性廃棄物スラリーを、スラリーの放射能レベルに応じて処理方法（濃縮、無処理、放射能レベルの低い廃液または別の廃棄物と混合して希釈、及び貯蔵タンクに戻して長期保管）を選択している。
【先行技術文献】
【特許文献】
【０００６】
【特許文献１】特開昭５９−４４６９９号公報
【特許文献２】特開昭５９−４４６９８号公報
【特許文献３】特開平６−２３０１８６公報
【発明の概要】
【発明が解決しようとする課題】
【０００７】
特開昭５９−４４６９９号公報及び特開昭５９−４４６９８号公報に記載されている、廃イオン交換樹脂に酸化触媒を添加してマイクロ波を照射して廃イオン交換樹脂を熱分解する方法は、イオン交換樹脂は効率的に熱分解処理できる。この場合には、燃焼に伴って発生する廃ガスの処理システムが必要になる。この技術は２０年以上にわたって検討されているが、既存の原子力プラントに導入されていない。
【０００８】
特開平６−２３０１８６公報に記載された放射性廃棄物の処理方法では、放射性樹脂系廃棄物のスラリーの放射能レベル、すなわち、線量に応じて処理方法を決めているため、低線量の放射性樹脂系廃棄物を処理することができ、貯蔵タンクに貯蔵される放射性樹脂系廃棄物の量を低減することができる。しかしながら、放射性樹脂系廃棄物スラリーの線量に基づいて低線量の放射性樹脂系廃棄物と高線量の放射性樹脂系廃棄物の分離を行っているため、それらを精度良く分離することができず、低線量の放射性樹脂系廃棄物を処理しないで貯蔵タンクに再貯蔵してしまう恐れがある。このため、高線量の貯蔵タンクに貯蔵される放射性樹脂系廃棄物の量をさらに低減することができなくなる。
【０００９】
本発明の目的は、高線量の放射性樹脂系廃棄物の量をさらに低減することができる放射性樹脂系廃棄物の処理方法及びその処理装置を提供することにある。
【課題を解決するための手段】
【００１０】
上記した目的を達成する本発明の特徴は、貯蔵タンク内に貯蔵されている放射性樹脂系廃棄物のスラリーを管路により取り出し、管路内を流れる放射性樹脂系廃棄物スラリーの第１放射線量、及びその放射性樹脂系廃棄物スラリーに含まれる放射性樹脂系廃棄物の割合を測定し、第１放射線量及び放射性樹脂系廃棄物の割合に基づいて放射性樹脂系廃棄物スラリーに含まれる放射性樹脂系廃棄物の第２放射線量を求め、第２放射線量に基づいて管路に設けられた切換弁を制御して、その管路内を流れる放射性樹脂系廃棄物スラリーを、設定放射線量よりも高い第２放射線量の前記放射性樹脂系廃棄物を受け入れる第１受槽及びその設定放射線量以下の第２放射線量の放射性樹脂系廃棄物を受け入れる第２受槽のいずれかに供給することにある。
【００１１】
貯蔵タンクから取り出された放射性樹脂系廃棄物スラリーの第１放射線量、及び放射性樹脂系廃棄物スラリーに含まれる放射性樹脂系廃棄物の割合に基づいて放射性樹脂系廃棄物スラリーに含まれる放射性樹脂系廃棄物の第２放射線量を求め、この第２放射線量に基づいて、設定放射線量よりも高い第２放射線量の放射性樹脂系廃棄物を含む放射性樹脂系廃棄物スラリーと、設定放射線量以下の第２放射線量の放射性樹脂系廃棄物を含む放射性樹脂系廃棄物スラリーを弁別しているので、設定放射線量よりも高い第２放射線量の放射性樹脂系廃棄物と、設定放射線量以下の第２放射線量の放射性樹脂系廃棄物を精度良く弁別することができる。このため、設定放射線量よりも高い線量の放射性廃棄物の発生量を低減することができる。
【発明の効果】
【００１２】
本発明によれば、設定放射線量よりも高い放射線量の放射性樹脂系廃棄物と、設定放射線量以下の放射線量の放射性樹脂系廃棄物を精度良く弁別することができ、設定放射線量よりも高い線量の放射性廃棄物の発生量を低減することができる。
【図面の簡単な説明】
【００１３】
【図１】本発明の好適な一実施例である放射性樹脂系廃棄物の処理方法に用いられる放射性樹脂系廃棄物処理装置の構成図である。
【発明を実施するための形態】
【００１４】
以下、本発明の実施例を以下に説明する。
【実施例】
【００１５】
本発明の好適な一実施例である放射性樹脂系廃棄物の処理方法を、図１を用いて説明する。
【００１６】
放射性樹脂系廃棄物処理装置１は、移送ポンプ６を設けた移送ホース５、高線量廃棄物受槽７、低線量廃棄物受槽８、切換弁１１、廃棄物放射能計算装置１２、放射線検出器１３、樹脂系廃棄物含有率測定装置１４及び制御装置１７を備えている。
【００１７】
移送ホース５の、吸引口が形成された一端部は、高線量貯蔵タンク２内に配置され、移送ホース５の他端部が切換弁１１に接続される。切換弁１１に接続された移送ホース９の他端部が低線量廃棄物受槽８内に配置される。切換弁１１に接続された移送ホース１０の他端部が高線量廃棄物受槽７内に配置される。放射線検出器１３及び樹脂系廃棄物含有率測定装置１４が廃棄物放射能計算装置１２に接続され、廃棄物放射能計算装置１２が制御装置１７に接続される。
【００１８】
イオン交換樹脂が充填された脱塩装置、及び粉末イオン交換樹脂またはセルロース系ろ過助剤を用いているろ過装置等の浄化装置が原子力プラントに設けられ、炉水及び給水が浄化されている。使用済になった、脱塩装置内のイオン交換樹脂、及び使用済になった、ろ過装置内の粉末イオン交換樹脂またはセルロース系ろ過助剤が、脱塩装置及びろ過装置からスラリー状になって高線量貯蔵タンク２に供給されて貯蔵される。粉末イオン交換樹脂及びセルロース系ろ過助剤はフィルタスラッジと呼ばれており、使用済のイオン交換樹脂及びフィルタスラッジは、放射性樹脂系廃棄物である。
【００１９】
原子力プラントで発生した放射性樹脂系廃棄物３は、原子力プラントの運用開始以降、長年にわたって高線量貯蔵タンク２に貯蔵されている。放射性樹脂系廃棄物３が原子力プラントから高線量貯蔵タンク２に移送する際に、放射性核種（主に、コバルト６０）が放射性樹脂系廃棄物３に同伴して高線量貯蔵タンク２内に導かれる。
【００２０】
原子力プラントで発生した放射性樹脂系廃棄物３は、原子力プラントの運用開始以降、高線量貯蔵タンク２の底部から上方に向かって貯蔵されるため、高線量貯蔵タンク２の底部に存在する放射性樹脂系廃棄物３の放射線量は、放射性核種の半減期により減衰し、高線量貯蔵タンク２の上部に貯蔵された放射性樹脂系廃棄物３の放射線量よりも低くなっている。
【００２１】
高線量貯蔵タンク２の容積が大きいため、原子力プラントの運用開始直後に発生して高線量貯蔵タンク２内の底部に存在する古い放射性樹脂系廃棄物３は２０年以上に亘って貯蔵されている。コバルト６０の半減期は約５年であり、例えば、貯蔵後２０年経過した放射性樹脂系廃棄物３に付着しているコバルト６０の線量は、貯蔵時の約４分の１の線量に提言している。高線量貯蔵タンク２内に貯蔵された放射性樹脂系廃棄物３は、高線量貯蔵タンク２内を意図的に攪拌しない限り、高線量貯蔵タンク２の高さ方向において線量分布が生じている。すなわち、高線量貯蔵タンク２の底部の線量は低く、高線量貯蔵タンク２内の線量は上部に向かうほど上昇する。
【００２２】
長期間に亘って放射性樹脂系廃棄物３を貯蔵していた高線量貯蔵タンク２内の放射性樹脂系廃棄物３の量を低減するために、この放射性樹脂系廃棄物３が処理される。高線量貯蔵タンク２内の放射性樹脂系廃棄物３を処理する際には、高線量貯蔵タンク２内に挿入されたホース（第２管路）１８の水放出口から移送水を高線量貯蔵タンク２に噴射する。高線量貯蔵タンク２内の放射性樹脂系廃棄物３が移送水の噴射によりほぐされてスラリー化され、放射性樹脂系廃棄物３が移送ホース５により吸引されやすくなる。
【００２３】
ホース１８を高線量貯蔵タンク２内の底部まで挿入してホース１８から水を噴射した場合には、放射線量が低い底部の放射性樹脂系廃棄物３が上部の放射線量が高い上部の放射性樹脂系廃棄物３と混ざってしまい、高線量貯蔵タンク２内の放射性樹脂系廃棄物スラリーの放射線量が高線量貯蔵タンク２の軸方向においてほとんど同じになってしまう可能性がある。これでは、低線量の放射性樹脂系廃棄物３と高線量の放射性樹脂系廃棄物３を弁別することが困難になる。このような問題の発生を避けるため、ホース１８の水放出口は、高線量貯蔵タンク２内において、高線量貯蔵タンク２の底部に向かって下降させるとよい。移送ホース５の吸引口も、高線量貯蔵タンク２内において、ホース１８の水放出口の下降に合わせて高線量貯蔵タンク２の底部に向かって下降させるとよい。
【００２４】
好ましくは、高線量貯蔵タンク２内で放射性樹脂系廃棄物３が堆積している高さを所定の高さで複数の領域（例えば、５つの領域）に分割し、上方から、分割された領域ごとに、放射性樹脂系廃棄物３のスラリー化及び放射性樹脂系廃棄物スラリーの吸引を行い、一つの領域内における放射性樹脂系廃棄物スラリーの吸引が終了した後に、一つ下の領域での放射性樹脂系廃棄物３のスラリー化を行うことによって、高線量貯蔵タンク２内において高線量の放射性樹脂系廃棄物３と低線量の放射性樹脂系廃棄物３が混合される確率が低減される。
【００２５】
ホース１８から高線量貯蔵タンク２に供給される移送水により、最も上方に位置する領域内の放射性樹脂系廃棄物３がスラリー化された後、高線量貯蔵タンク２内の放射性樹脂系廃棄物スラリーを、移送ポンプ６の駆動によって移送ホース（第１管路）５内に吸引する。移送ホース５内を流れる放射性樹脂系廃棄物スラリーから放出される放射線が、放射線検出器１３で検出される。放射線の検出により放射線検出器１３から出力された放射線検出信号が、廃棄物放射能計算装置１２に入力される。また、移送ホース５内を流れる放射性樹脂系廃棄物スラリーに含まれる放射性樹脂系廃棄物３の割合を、放射線検出器１３による放射線検出と同時に、樹脂系廃棄物含有率測定装置１４によって測定する。
【００２６】
樹脂系廃棄物含有率測定装置１４は超音波送信器（図示せず）及び超音波受信器（図示せず）を備えている。超音波送信器は移送ホース５の外面に接触して取り付けられる。超音波受信器は、超音波発振器と１８０°反対側の位置で移送ホース５の外面に接触して取り付けられる。超音波が、超音波送信器から放射性樹脂系廃棄物スラリーが流れている移送ホース５に向かって送信され、移送ホース５内の放射性樹脂系廃棄物スラリーを通過した超音波が超音波受信器に受信される。
【００２７】
樹脂系廃棄物含有率測定装置１４は、超音波受信器から入力した超音波信号を用いて移送ホース５内を流れる放射性樹脂系廃棄物スラリーに含まれる放射性樹脂系廃棄物３の割合を求める。放射性樹脂系廃棄物３の割合は、超音波受信器から出力された超音波信号に基づいて求めることができる。水に対する放射性樹脂系廃棄物の混合割合を変え、その混合割合と、放射性樹脂系廃棄物が混合された超音波の伝播速度との関係を予め求めておき、混合割合と超音波の伝播速度との関係を樹脂系廃棄物含有率測定装置１４のメモリに記憶しておく。放射性樹脂系廃棄物の混合割合が大きくなると、放射性樹脂系廃棄物スラリー内を伝播する超音波の速度が遅くなる。
【００２８】
樹脂系廃棄物含有率測定装置１４は、超音波受信器で超音波を受信したときの時間と超音波発振器から超音波を送信したときの時間差に基づいて移送ホース５内を流れる放射性樹脂系廃棄物スラリーを伝播する超音波の伝播速度を求める。樹脂系廃棄物含有率測定装置１４は、得られた超音波の伝播速度、及びメモリに記憶した、水に対する放射性樹脂系廃棄物の混合割合と超音波の伝播速度との関係に基づいて、移送ホース５内を流れる放射性樹脂系廃棄物スラリーに含まれる放射性樹脂系廃棄物３の割合を求める。求められた放射性樹脂系廃棄物３の割合は、樹脂系廃棄物含有率測定装置１４から廃棄物放射能計算装置１２に入力される。
【００２９】
廃棄物放射能計算装置１２は、放射線検出器１３から出力された放射線検出信号に基づいて計数率を求め、得られた計数率に基づいて放射性樹脂系廃棄物スラリーの放射線量量（第１放射線量）を求める。廃棄物放射能計算装置１２は、放射性樹脂系廃棄物スラリーの、求められた前述の放射線量、及び樹脂系廃棄物含有率測定装置１４から入力した放射性樹脂系廃棄物３の割合に基づいて、移送ホース５内を流れる放射性樹脂系廃棄物スラリーに含まれる放射性樹脂系廃棄物３そのものの放射線量（第２放射線量）を求める。すなわち、放射性樹脂系廃棄物スラリーの放射線量を放射性樹脂系廃棄物３の割合で割ることにより、放射性樹脂系廃棄物３の重量で規格化された放射線量が求められる。この放射線量は、放射性樹脂系廃棄物３の単位重量当たりの放射線量である。
【００３０】
廃棄物放射能計算装置１２は、求めた放射性樹脂系廃棄物３そのものの放射線量を制御装置１７に出力する。制御装置１７は、廃棄物放射能計算装置１２から入力した放射性樹脂系廃棄物３の放射線量が、高線量の放射性樹脂系廃棄物３と低線量の放射性樹脂系廃棄物３とを選別するために設定された設定放射線量よりも高いかを判定する。廃棄物放射能計算装置１２で求められた放射性樹脂系廃棄物３の放射線量が設定放射線量よりも高いと判定されたとき、制御装置１７は、移送ホース５と移送ホース１０が連絡されるように、切換弁１１を制御する。この結果、移送ホース５内を流れて切換弁１１に達した放射性樹脂系廃棄物スラリーは、移送ホース１０内を流れて高線量廃棄物受槽７内に排出される。高線量貯蔵タンク２内の最も上方の領域に存在する放射性樹脂系廃棄物３の放射線量は、高線量貯蔵タンク２内で最も放射線量が高い放射性樹脂系廃棄物３である。このため、制御装置１７は、廃棄物放射能計算装置１２で求められた放射性樹脂系廃棄物３の放射線量が設定放射線量よりも高いと判定し、切換弁１１を、移送ホース５と移送ホース１０を連絡する状態に維持する。高線量貯蔵タンク２内のその領域の放射性樹脂系廃棄物は、移送ホース５に吸引されて高線量廃棄物受槽７内に導かれる。高線量貯蔵タンク２内の放射性樹脂系廃棄物３を高線量廃棄物受槽７に導いている間、放射性樹脂系廃棄物３の移送をしやすくするために、ホース１８から高線量貯蔵タンク２内に移送水が供給される。
【００３１】
超音波の替りに光を放射性樹脂系廃棄物スラリーに照射し、光の透過度から放射性樹脂系廃棄物スラリーに含まれている放射性樹脂系廃棄物３の割合を求めることもできる。光を照射する場合には、光を透過しやすくするために、移送ホース５を、光を照射する位置を光が透過しやすい透明のホースにするとよい。
【００３２】
高線量貯蔵タンク２内の最も上位に位置する領域の放射性樹脂系廃棄物３がスラリー状で移送ホース５内に吸引された後、移送水を供給するホース１８の水放出口が、高線量貯蔵タンク２の上端に設置された昇降装置４によって次の領域まで下降される。移送ホース５も高線量貯蔵タンク２の上端に設置された昇降装置１９によって下降され、移送ホース５の吸引口が、ホース１８の水放出口が位置している領域内に達する。この状態で、ホース１８から移送水が注入され、高線量貯蔵タンク２内でその領域に存在する放射性樹脂系廃棄物３がスラリー化される。この放射性樹脂系廃棄物スラリーが移送ホース５内に吸引される。この放射性樹脂系廃棄物スラリーに対しても、放射線検出器１３による放射線の検出、及び樹脂系廃棄物含有率測定装置１４による放射性樹脂系廃棄物の混合割合の測定が行われる。制御装置１７の判定により、上から二番目の領域であるこの領域内の放射性樹脂系廃棄物３も、スラリー状で高線量廃棄物受槽７内に導かれる。
【００３３】
この領域内の放射性樹脂系廃棄物３の移送が完了した後、昇降装置４によりホース１８が下降され、ホース１８の水放出口が、順次、これよりも下方に存在する各領域に下降される。移送ホース５も昇降装置１９により、移送ホース５の吸引口が、それぞれの領域に、順次、下降される。
【００３４】
高線量貯蔵タンク２に貯蔵された放射性樹脂系廃棄物３の放射線量は、高線量貯蔵タンク２の底部に近づくほど低下する。高線量貯蔵タンク２内の放射性樹脂系廃棄物３の量がある程度減少したとき、放射線検出器１３により検出された、移送ホース５内を流れる放射性樹脂系廃棄物スラリーの放射線量、及び樹脂系廃棄物含有率測定装置１４で求められた放射性樹脂系廃棄物の割合に基づいて廃棄物放射能計算装置１２で求められた放射性樹脂系廃棄物３そのものの放射線量が設定放射線量に以下になる。このとき、制御装置１７は、放射性樹脂系廃棄物３の放射線量が設定放射線量に以下になったと判定し、切換弁１１を、移送ホース５と移送ホース９を連絡するように切り換える。制御装置１７による切換弁１１の切り換えのタイミングは、放射線検出器１３により放射線を計測する位置から切換弁１１までの放射性樹脂系廃棄物スラリーの移送に要する時間を考慮して行われる。切換弁１１が移送ホース５と移送ホース９を連絡するように切り換えられたとき、移送ホース５内を流れる放射線量の低い放射性樹脂系廃棄物スラリーは、低線量廃棄物受槽８内に導かれる。高線量貯蔵タンク２の底部の近くに存在する放射性樹脂系廃棄物３ほど、放射線量が低くなるため、低線量廃棄物受槽８に導かれる。
【００３５】
低線量廃棄物受槽８内の低線量の放射性樹脂系廃棄物スラリーは、スラリー排出管路１６を通して低線量廃棄物受槽８から取り出される。放射性樹脂系廃棄物スラリーに含まれた低線量の放射性樹脂系廃棄物３はスラリーから分離され、焼却炉（図示せず）で焼却されて減容される。高線量廃棄物受槽７内の高線量の放射性樹脂系廃棄物スラリーは、スラリー排出管路１５を通して高線量廃棄物受槽７から取り出される。高線量の放射性樹脂系廃棄物スラリーは、固化容器（例えば、ドラム缶）内に供給され、固化材により固化される。この固化容器は埋設処分用の放射性廃棄物となる。
【００３６】
本実施例によれば、高線量貯蔵タンク２から排出される放射性樹脂系廃棄物スラリーの放射線量、及び放射性樹脂系廃棄物スラリーに含まれる放射性樹脂系廃棄物３の割合に基づいて求められた放射性樹脂系廃棄物３の放射線量が設定放射線量よりも高いとき、放射性樹脂系廃棄物スラリーを高線量廃棄物受槽７に供給し、放射性樹脂系廃棄物３のその放射線量が設定放射線量以下であるとき、放射性樹脂系廃棄物スラリーを低線量廃棄物受槽８に供給するので、放射線量が設定放射線量よりも高い高線量の放射性樹脂系廃棄物３と放射線量が設定放射線量以下の低線量の放射性樹脂系廃棄物３を精度良く弁別することができる。このため、設定放射線量よりも高い高線量の放射性廃棄物の発生量をさらに低減することができる。
【００３７】
高線量貯蔵タンク２から移送ホース５内に吸引される放射性樹脂系廃棄物スラリーに含まれる水と放射性樹脂系廃棄物３の割合を常に一定にすることは難しい。このため、水に対する高線量の放射性樹脂系廃棄物３の割合が小さい場合には、高線量の放射性樹脂系廃棄物３を低線量の高線量の放射性樹脂系廃棄物３と誤判定する可能性がある。本実施例は、前述したように、放射性樹脂系廃棄物スラリーの放射線量、及び放射性樹脂系廃棄物スラリーに含まれる放射性樹脂系廃棄物３の割合に基づいて求められた放射性樹脂系廃棄物３の放射線量により、放射性樹脂系廃棄物スラリーに含まれる放射性樹脂系廃棄物３が高線量の放射性樹脂系廃棄物３か、低線量の放射性樹脂系廃棄物３を判定しているため、そのような誤判定が少なくなり、高線量の放射性樹脂系廃棄物３と低線量の放射性樹脂系廃棄物３を精度良く弁別することができる。
【００３８】
本実施例では、上記したように高線量の放射性樹脂系廃棄物３と低線量の放射性樹脂系廃棄物３を精度良く弁別するので、放射性樹脂系廃棄物処理装置を、放射性樹脂系廃棄物を高温で熱分解する従来の処理装置に比べて簡素化することができる。
【００３９】
本実施例では、高線量貯蔵タンク２内に貯蔵されて堆積している放射性樹脂系廃棄物３を上方から高線量貯蔵タンク２の底部に向かってスラリー化して移送ホース５で吸引するので、高線量貯蔵タンク２内の上部の高線量の放射性樹脂系廃棄物３と底部の低線量の放射性樹脂系廃棄物３が混合される確率が小さくなる。このため、高線量の放射性樹脂系廃棄物３と低線量の放射性樹脂系廃棄物３をさらに精度良く弁別することができる。
【符号の説明】
【００４０】
１…放射性樹脂系廃棄物処理装置、２…高線量貯蔵タンク、３…放射性樹脂系廃棄物、４…、５，９，１０…移送ホース、６…移送ポンプ、７…高線量廃棄物受槽、８…低線量廃棄物受槽、１１…切換弁、１２…廃棄物放射能計算装置、１３…放射線検出器、１４…樹脂系廃棄物含有率測定装置、１７…制御装置、１８…ホース。
【図１】
2014174129.tif 000003